(57)【要約】【課題】窓の屋内外方向の長さによらず、連結材を共通化することができる窓連結構造を提供する。【解決手段】窓連結構造１００は、複数の窓１が配置され、一方の窓１の枠体２と一方の窓１の枠体２と隣り合って配置された他方の窓１の枠体２とを連結する窓連結構造であって、一方の窓１及び他方の窓１の枠体２は、屋外側に配置された屋外側形材１０と、屋内側に配置された屋内側形材２０と、屋外側形材１０と屋内側形材２０とを連結する断熱材３０，４０と、を有し、一方の窓１の屋外側形材１０と他方の窓１の屋外側形材１０、及び一方の窓１の屋内側形材２０と他方の窓１の屋内側形材２０の少なくとも一方を連結する連結材５０，６０を備えることを特徴とする。【選択図】図２
2019157494.tif 000002
【特許請求の範囲】
【請求項１】
複数の窓が配置され、一方の前記窓の枠体と該一方の前記窓の枠体と隣り合って配置された他方の前記窓の枠体とを連結する窓連結構造であって、
前記一方の窓及び前記他方の窓の前記枠体は、
屋外側に配置された屋外側形材と、
屋内側に配置された屋内側形材と、
前記屋外側形材と前記屋内側形材とを連結する断熱材と、を有し、
前記一方の窓の前記屋外側形材と前記他方の窓の前記屋外側形材、及び前記一方の窓の前記屋内側形材と前記他方の窓の前記屋内側形材の少なくとも一方を連結する連結材を備えることを特徴とする窓連結構造。
【請求項２】
前記連結材は、
隣り合って配置された前記窓の前記屋外側形材どうしを連結する屋外側連結材と、
隣り合って配置された前記窓の前記屋内側形材どうしを連結する屋内側連結材と、を有する請求項１に記載の窓連結構造。
【請求項３】
前記屋内側形材は、
隣り合って配置された前記窓の枠体側を向く面に沿って屋内外方向に延びる取付部を有し、
前記屋内側連結材は、
前記一方の窓の前記取付部と前記他方の窓の前記取付部との間に配置されるとともに、屋外側に向かうにしたがって次第に前記取付部から離間する傾斜部を有し、
該傾斜部は、前記取付部に螺子止めされている請求項２に記載の窓連結構造。
【請求項４】
前記枠体は、隣り合う前記枠体側に延び、前記屋外側連結材の屋内側に配置された延出部を有し、
前記屋外側連結材は、前記延出部に螺子止めされている請求項２または３に記載された窓連結構造。
【請求項５】
前記屋外側連結材よりも屋内側、前記屋内側連結材よりも屋外側、且つ隣り合う前記枠体の前記断熱材どうしの間には、空間が形成されている請求項２から４のいずれか一項に記載の窓連結構造。
【請求項６】
前記屋外側連結材と前記屋内側連結材とは、屋内外方向に離間して配置されるとともに、互いに連結されていない請求項２から５のいずれか一項に記載の窓連結構造。
【発明の詳細な説明】
【技術分野】
【０００１】
本発明は、窓連結構造に関するものである。
【背景技術】
【０００２】
従来から、連窓または段窓等の複数の窓を方立や無目等の連結材により連結された窓連結構造が知られている（例えば、下記の特許文献１参照）。このような窓連結構造では、連結材が枠体の屋内外方向に連続して設けられている。
【先行技術文献】
【特許文献】
【０００３】
【特許文献１】特開２０１０−１２１２９６号公報
【発明の概要】
【発明が解決しようとする課題】
【０００４】
窓の枠体の屋内外方向の長さは、窓が取り付けられる壁の厚み等により設定されている。このため、様々な屋内外方向の長さの枠体に対応するために、様々な屋内外方向の長さの連結材を部品として取り揃える必要があるという問題点がある。
【０００５】
そこで、本発明は、上記事情に鑑みてなされたものであり、窓の屋内外方向の長さによらず、連結材を共通化することができる窓連結構造を提供する。
【課題を解決するための手段】
【０００６】
上記目的を達成するために、本発明は以下の手段を採用している。
すなわち、本発明に係る窓連結構造は、複数の窓が配置され、一方の前記窓の枠体と該一方の前記窓の枠体と隣り合って配置された他方の前記窓の枠体とを連結する窓連結構造であって、前記一方の窓及び前記他方の窓の前記枠体は、屋外側に配置された屋外側形材と、屋内側に配置された屋内側形材と、前記屋外側形材と前記屋内側形材とを連結する断熱材と、を有し、前記一方の窓の前記屋外側形材と前記他方の窓の前記屋外側形材、及び前記一方の窓の前記屋内側形材と前記他方の窓の前記屋内側形材の少なくとも一方を連結する連結材を備えることを特徴とする。
【０００７】
このように構成された窓連結構造では、隣り合って配置された一方の窓の枠体及び他方の窓の枠体では、屋外側形材及び屋内側形材の少なくとも一方が、連結材で連結されている。連結材は、枠体の屋内外方向に連続して設ける必要がないため、屋内外方向の寸法が異なる窓連結構造において、連結材を共通して使用することができる。
【０００８】
また、本発明に係る窓連結構造では、前記連結材は、隣り合って配置された前記窓の前記屋外側形材どうしを連結する屋外側連結材と、隣り合って配置された前記窓の前記屋内側形材どうしを連結する屋内側連結材と、を有することが好ましい。
【０００９】
このように構成された窓連結構造では、隣り合って配置された窓の屋外側形材どうしは、屋外側連結材で連結されている。また、隣り合って配置された窓の屋内側形材どうしは、屋内側連結材で連結されている。よって、隣り合って配置された窓の枠体は屋外側及び屋内側の両側で連結されているため、窓どうしが強固に連結される。
【００１０】
また、本発明に係る窓連結構造は、前記屋内側形材は、隣り合って配置された前記窓の枠体側を向く面に沿って屋内外方向に延びる取付部を有し、前記屋内側連結材は、前記一方の窓の前記取付部と前記他方の窓の前記取付部との間に配置されるとともに、屋外側に向かうにしたがって次第に前記取付部から離間する傾斜部を有し、該傾斜部は、前記取付部に螺子止めされていてもよい。
【００１１】
このように構成された窓連結構造では、屋内側形材の取付部は、隣り合って配置された窓の枠体側を向く面に沿って屋内外方向に延びている。屋内側連結材の傾斜部は、一方の窓の取付部と他方の窓の取付部との間に配置されるとともに、屋外側に向かうにしたがって次第に取付部から離間し、取付部に螺子止めされている。つまり、螺子止めされるのは、枠体の屋内外向に延びる取付部であり、枠体の見付け方向（屋内外方向に直交する水平方向）には螺子止めされる部分を設ける必要がないため、枠体の見付け方向の寸法を小さくすることができ、外観が良いとともに断熱性を向上させることができる。
【００１２】
また、本発明に係る窓連結構造は、前記枠体は、隣り合う前記枠体側に延び、前記屋外側連結材の屋内側に配置された延出部を有し、前記屋外側連結材は、前記延出部に螺子止めされていてもよい。
【００１３】
このように構成された窓連結構造では、屋外側連結材は、隣り合う枠体側に延びる延出部の屋外側に配置され、延出部に螺子止めされている。よって、屋内側から螺子止め作業を行うことができるため、作業性が良い。
【００１４】
また、本発明に係る窓連結構造は、前記屋外側連結材よりも屋内側、前記屋内側連結材よりも屋外側、且つ隣り合う前記枠体の前記断熱材どうしの間には、空間が形成されていてもよい。
【００１５】
このように構成された窓連結構造では、屋外側連結材よりも屋内側、屋内側連結材よりも屋外側、且つ隣り合う枠体の断熱材どうしの間には、空間が形成されている。当該空間により断熱性を高めることができ、また空間に断熱材を設けることにより断熱性をさらに高めることができる。
【００１６】
また、本発明に係る窓連結構造は、前記屋外側連結材と前記屋内側連結材とは、屋内外方向に離間して配置されるとともに、互いに連結されていなくてもよい。
【００１７】
このように構成された窓連結構造では、屋外側連結材と屋内側連結材とは屋内外方向に離間して配置されるとともに互いに連結されていないため、屋外側の熱が屋内側に伝達されることが抑制される。
【発明の効果】
【００１８】
本発明に係る窓連結構造によれば、窓の屋内外方向の長さによらず、連結材を共通化することができる。
【図面の簡単な説明】
【００１９】
【図１】本発明の一実施形態の第一形態に係る窓連結構造を屋内側から見た正面図である。
【図２】図１のＡ−Ａ線断面図である。
【図３】本発明の一実施形態の第一形態に係る窓連結構造の施工方法を説明する図であり、（ａ）屋外側連結材を取り付けた状態を示した図であり、（ｂ）屋内側連結材を取り付ける途中を示した図である。
【図４】本発明の一実施形態の第二形態に係る窓連結構造の構成を示す図であり、図２に相当する図である。
【図５】本発明の変形例に係る窓連結構造の構成を示す図であり、図２に相当する図である。
【発明を実施するための形態】
【００２０】
（第一形態）
以下、本発明の一実施形態に係る窓連結構造について、図１から図４に基づいて説明する。
図１は、本発明の第一実施形態の第一形態に係る窓連結構造を屋内側から見た正面図である。図２は、図１のＡ−Ａ線断面図である。
図１及び２に示すように、本実施形態による窓連結構造１００では、建物の開口部Ｗ（図１参照。以下同じ。）に水平方向に隣り合って配置された２つの窓１Ｘ，１Ｙが、第一方立部材（連結材、屋外側連結材）５０（図２参照。以下同じ。）及び第二方立部材（連結材、屋内側連結材）６０で連結されている。
なお、以下の説明において、屋外側と屋内側とを結ぶ方向を屋内外方向と称する。また、開口部Ｗが壁部を貫通する方向（壁部に対向する方向）から見た際の左側と右側を結ぶ水平方向を左右方向と称する。
【００２１】
窓１Ｘは、屋内側から見て左側に配置された開き窓である。窓１Ｙは、屋内側から見て右側に配置されたＦＩＸ窓（嵌め殺し窓）である。なお、以下の説明において、窓１Ｘ，１Ｙの総称として、窓１と称することがある。
【００２２】
窓１Ｘは、四角形枠状に形成された枠体２と、枠体２内に蝶番２ａを介して開閉可能に設けられた障子３Ｘと、を備えている。
【００２３】
障子３Ｘは、四方枠状に形成された框体３Ａと、框体３Ａ内に嵌め込まれた窓ガラス３と、を備えている。
【００２４】
窓１Ｙは、四角形枠状に形成された枠体２と、枠体２内に嵌め込まれた窓ガラス３と、を備えている。窓１Ｘの枠体２と窓１Ｙの枠体２とは、左右方向に隣り合って配置されている。
【００２５】
各窓１の枠体２は、左右方向に延在する上枠４及び下枠５と、上枠４の両端部と下枠５の両端部とをそれぞれ連結し上下方向に延在する縦枠６と、を有している。
【００２６】
図２に示すように、縦枠６は、屋外側に配置される屋外側形材１０と、屋内側に配置される屋内側形材２０と、を有している。本実施形態では、屋外側形材１０及び屋内側形材２０は、アルミ合金等の金属材料の押出材で形成されている。
なお、以下の説明では、一の窓１において、左右方向のうち隣り合う窓１から離間する方向を窓ガラス３側と称し、隣り合う窓１に近接する方向を隣り合う窓１側と称する。
【００２７】
屋外側形材１０は、外板部１１０と、内板部１２０と、第一連結板部１３０と、第二連結板部１４０と、を有している。
【００２８】
外板部１１０は、板状に形成され、屋外側に配置されている。外板部１１０は、板厚方向を屋内外方向に向けて配置されている。
【００２９】
内板部１２０は、板状に形成され、屋内側に配置されている。内板部１２０は、板厚方向を屋内外方向に向けて配置されている。
【００３０】
外板部１１０における隣り合う窓１側の端部と内板部１２０における隣り合う窓１側の端部とは、左右方向の位置が揃っている。外板部１１０における窓ガラス３側の端部は、内板部１２０における窓ガラス３側の端部よりも、窓ガラス３側に突出している。
【００３１】
第一連結板部１３０は、外板部１１０における隣り合う窓１側の端部と内板部１２０における隣り合う窓１側の端部とを連結している。第一連結板部１３０は、板状に形成されている。第一連結板部１３０は、板厚方向を左右方向に向けて配置されている。
【００３２】
第二連結板部１４０は、外板部１１０の左右方向の中間部と内板部１２０における窓ガラス３側の端部とを連結している。第二連結板部１４０は、板状に形成されている。第二連結板部１４０は、板厚方向を左右方向に向けて配置されている。
【００３３】
内板部１２０には、屋内側に向かって突出する突起１２１，１２２，１２３，１２４が、左右方向に間隔を有して配置されている。突起１２１，１２２，１２３，１２４は、この順に隣り合う窓１側から窓ガラス３側に配置されている。
【００３４】
突起１２１，１２４は、屋内側に向かうにしたがって次第に左右方向の幅が広くなるように形成されている。
【００３５】
突起１２２は、屋内側に向かうにしたがって次第に隣り合う窓１側に向かうように形成されている。突起１２３は、屋内側に向かうにしたがって次第に窓ガラス３側に向かうように形成されている。
【００３６】
第一連結板部１３０の屋内側の端部には、隣り合う窓１側に向かって延びる取付板部（延出部）１３１が設けられている。取付板部１３１は、板状に形成されている。取付板部１３１は、板厚方向を屋内外方向に向けて配置されている。
【００３７】
屋内側形材２０は、外板部２１０と、内板部２２０と、第一連結板部（取付部）２３０と、第二連結板部２４０と、を有している。
【００３８】
外板部２１０は、板状に形成され、屋外側に配置されている。外板部２１０は、板厚方向を屋内外方向に向けて配置されている。
【００３９】
内板部２２０は、板状に形成され、屋内側に配置されている。内板部２２０は、板厚方向を屋内外方向に向けて配置されている。
【００４０】
外板部２１０における隣り合う窓１側の端部と内板部２２０における隣り合う窓１側の端部とは、左右方向の位置が揃っている。外板部２１０における窓ガラス３側の端部と内板部２２０における窓ガラス３側の端部とは、左右方向の位置が揃っている。
【００４１】
第一連結板部２３０は、外板部２１０における隣り合う窓１側の端部と内板部２２０における隣り合う窓１側の端部とを連結している。
【００４２】
第二連結板部２４０は、外板部２１０の左右方向の中間部と内板部２２０の左右方向の中間部とを連結している。第二連結板部２４０は、板状に形成されている。第二連結板部２４０は、板厚方向を左右方向に向けて配置されている。
【００４３】
外板部２１０には、屋外側に向かって突出する突起２２１，２２２，２２３，２２４が、左右方向に間隔を有して配置されている。突起２２１，２２２，２２３，２２４は、この順に隣り合う窓１側から窓ガラス３側に配置されている。
【００４４】
突起２２１，２２４は、屋外側に向かうにしたがって次第に左右方向の幅が広くなるように形成されている。
【００４５】
突起２２２は、屋外側に向かうにしたがって次第に隣り合う窓１側に向かうように形成されている。突起２２３は、屋外側に向かうにしたがって次第に窓ガラス３側に向かうように形成されている。
【００４６】
屋外側形材１０と屋内側形材２０とは、第一ブリッジ材（断熱材）３０及び第二ブリッジ材（断熱材）４０により連結されている。第一ブリッジ材３０は、第二ブリッジ材４０よりも隣り合う窓１側に配置されている。第一ブリッジ材３０及び第二ブリッジ材４０は、縦枠６の延在方向にわたって設けられている。第一ブリッジ材３０及び第二ブリッジ材４０は、熱伝導率が屋外側形材１０及び屋内側形材２０の熱伝導率よりも低く、屋外側形材１０及び屋内側形材２０よりも断熱性が高い。本実施形態では、第一ブリッジ材３０及び第二ブリッジ材４０は、合成樹脂等の断熱材で形成されている。
【００４７】
第一ブリッジ材３０は、板状に形成されたブリッジ板部３００を有している。ブリッジ板部３００は、板厚方向を左右方向に向けて配置されている。
【００４８】
ブリッジ板部３００の屋外側の端部には、屋外側に向かうにしたがって次第に窓ガラス３側に向かう傾斜壁部３０１が設けられている。
【００４９】
傾斜壁部３０１の屋外側の端部には、屋外側に向かって突出する係止片３０２が設けられている。係止片３０２は、屋外側に向かうにしたがって次第に左右方向の幅が広くなるように形成されている。
【００５０】
ブリッジ板部３００の屋内側の端部には、屋内側に向かうにしたがって次第に窓ガラス３側に向かう傾斜壁部３１１が設けられている。
【００５１】
傾斜壁部３１１の屋内側の端部には、屋内側に向かって突出する係止片３１２が設けられている。係止片３１２は、屋内側に向かうにしたがって次第に左右方向の幅が広くなるように形成されている。
【００５２】
第一ブリッジ材３０の係止片３０２は、屋外側形材１０の突起１２１，１２２の間に嵌め込まれている。第一ブリッジ材３０の係止片３１２は、屋内側形材２０の突起２２１，２２２の間に嵌め込まれている。
【００５３】
第二ブリッジ材４０は、板状に形成されたブリッジ板部４００を有している。ブリッジ板部４００は、板厚方向を左右方向に向けて配置されている。
【００５４】
ブリッジ板部４００の屋外側の端部には、屋外側に向かうにしたがって次第に隣り合う窓１側に向かう傾斜壁部４０１が設けられている。
【００５５】
傾斜壁部４０１の屋外側の端部には、屋外側に向かって突出する係止片４０２が設けられている。係止片４０２は、屋外側に向かうにしたがって次第に左右方向の幅が広くなるように形成されている。
【００５６】
ブリッジ板部４００の屋内側の端部には、屋内側に向かうにしたがって次第に隣り合う窓１側に向かう傾斜壁部４１１が設けられている。
【００５７】
傾斜壁部４１１の屋内側の端部には、屋内側に向かって突出する係止片４１２が設けられている。係止片４１２は、屋内側に向かうにしたがって次第に左右方向の幅が広くなるように形成されている。
【００５８】
第二ブリッジ材４０の係止片４０２は、屋外側形材１０の突起１２３，１２４の間に嵌め込まれている。第二ブリッジ材４０の係止片４１２は、屋内側形材２０の突起２２３，２２４の間に嵌め込まれている。
【００５９】
隣り合う窓１の縦枠６どうしは、第一方立部材５０及び第二方立部材６０で連結されている。第一方立部材５０は、縦枠６の屋外側どうしを連結している。第二方立部材６０は、縦枠６の屋内側どうしを連結している。第一方立部材５０及び第二方立部材６０は、縦枠６の延在方向にわたって設けられている。本実施形態では、第一方立部材５０及び第二方立部材６０は、アルミ合金等の金属材料の押出材で形成されている。
以下の説明において、第一方立部材５０及び第二方立部材６０の左右方向を幅方向と称することがある。
【００６０】
第一方立部材５０は、屋外側面部５１０と、屋内側面部５２０と、端部壁部５３０と、連結部５４０と、を有している。
【００６１】
屋外側面部５１０は、板状に形成され、屋外側に配置されている。屋外側面部５１０は、板厚方向を屋内外方向に向けて配置されている。
【００６２】
屋内側面部５２０は、板状に形成され、屋内側に配置されている。屋内側面部５２０は、板厚方向を屋内外方向に向けて配置されている。
【００６３】
端部壁部５３０は、屋外側面部５１０の幅方向の両端部からそれぞれ屋内側に向かって突出している。
【００６４】
連結部５４０は、屋外側面部５１０と屋内側面部５２０とを連結するように２箇所に設けられている。連結部５４０は、幅方向に離間して配置されている。
【００６５】
各連結部５４０は、第一連結板部５４１と、第二連結板部５４２と、第三連結板部５４３と、を有している。
【００６６】
第一連結板部５４１は、屋外側面部５１０から屋内側に延びている。第二連結板部５４２は、第一連結板部５４１の屋内側の端部から対向する連結部５４０側に延びている。第三連結板部５４３は、第二連結板部５４２における対向する連結部５４０側の端部から屋内側に向かって延びている。第三連結板部５４３の屋内側の端部は、屋内側面部５２０に連結されている。
【００６７】
各第三連結板部５４３は、縦枠６の屋外側形材１０の第一連結板部１３０における隣り合う縦枠６側を向く面に当接している。
【００６８】
屋内側面部５２０は、縦枠６の屋外側形材１０の取付板部１３１における屋外側を向く面に沿って配置されている。各取付板部１３１の取付孔（不図示）に屋内側から挿通された螺子１３３が、第一方立部材５０の屋内側面部５２０にねじ込まれている。螺子１３３は、上下方向に間隔を有して複数設けられている。
【００６９】
縦枠６の屋外側形材１０の外板部１１０と第一方立部材５０の幅方向の両端部との間には、気密材５５０がそれぞれ設けられている。
【００７０】
各気密材５５０の基端部は、第一方立部材５０の端部壁部５３０及び第一連結板部５４１に係止されている。気密材５５０の先端部は、幅方向に折り返されて縦枠６の外板部１１０に当接している。これにより、第一方立部材５０と外板部１１０との間の隙間が封止され、止水性が確保されている。
【００７１】
第二方立部材６０は、見付け面部６１０と、屋外側部６２０と、取付面部（傾斜部）６３０と、を有している。
【００７２】
見付け面部６１０は、板状に形成されている。見付け面部６１０は、板厚方向を屋内外方向に向けて配置されている。
【００７３】
屋外側部６２０は、第一屋外側壁部６２１と、第二屋外側壁部６２２と、第三屋外側壁部６２３と、を有している。
【００７４】
第一屋外側壁部６２１は、見付け面部６１０の幅方向の両端部からそれぞれ屋外側に延びている。第二屋外側壁部６２２は、各第一屋外側壁部６２１の屋外側の端部から幅方向の端部側に延びている。第三屋外側壁部６２３は、各第二屋外側壁部６２２の幅方向の端部から屋内側に延びている。各第三屋外側壁部６２３は、縦枠６の屋内側形材２０の第一連結板部２３０における隣り合う縦枠６側を向く面に当接している。
【００７５】
取付面部６３０は、見付け面部６１０の幅方向の両端部からそれぞれ屋内側に延びている。取付面部６３０は、屋内側に向かうにしたがって次第に縦枠６の第一連結板部２３０に近接するように形成されている。
【００７６】
取付面部６３０の屋内側の端部には、幅方向の端部側に延びる係止壁部６３１が設けられている。係止壁部６３１は、縦枠６の屋内側形材２０の内板部２２０における屋内側を向く面に当接している。
【００７７】
各取付面部６３０の取付孔（不図示）に屋内側から挿通された螺子６３７が、縦枠６の第一連結板部２３０にねじ込まれている。螺子６３７は、上下方向に間隔を有して複数設けられている。第二方立部材６０に対して左右両側に配置された螺子６３７において、左右方向の一方側の螺子６３７と左右方向の他方側の螺子６３７とでは、上下方向の位置が異なっている。具体的には、左右方向の一方側の螺子６３７と左右方向の他方側の螺子６３７とが、上下方向に交互に配置されている。
【００７８】
第二方立部材６０の屋内側には、キャップ７０が設けられている。キャップ７０は、第二方立部材６０の屋内側に配置されている。キャップ７０の幅方向の両端部は、屋外側に向かって突出して、第二方立部材６０の係止壁部６３１に係止されている。これにより、キャップ７０が屋内側に移動することが抑制されている。
【００７９】
第一方立部材５０と第二方立部材６０との間の空間Ｓ、換言すると第一方立部材５０よりも屋内側、第二方立部材６０よりも屋外側、且つ第一ブリッジ材３０どうしの間に形成された空間Ｓには、断熱材を設けることが可能である。具体的には、断熱材は、屋外側形材１０の取付板部１３１、第一ブリッジ材３０、屋内側形材２０の第一連結板部２３０及び第二方立部材６０で形成された空間Ｓに配置されている。
【００８０】
次に、上記の窓連結構造１００の施工方法について説明する。
図３は、窓連結構造１００の施工方法を説明する図であり、（ａ）第一方立部材５０を取り付けた状態を示した図であり、（ｂ）第二方立部材６０を取り付ける途中を示した図である。
図３に示すように、建物の開口部に、各窓１の取付板部１３１の端部を突き付けて位置決めして、窓１を設置する。屋外側形材１０の屋外側に、第一方立部材５０を配置する。この際に、第一方立部材５０の屋内側面部５２０が、縦枠６の屋外側形材１０の取付板部１３１に当接するようにする。各取付板部１３１の取付孔に対して屋内側から螺子１３３を挿通して、第一方立部材５０の屋内側面部５２０にねじ込む。
【００８１】
次に、屋内側から、第二方立部材６０の屋外側部６２０を隣り合う窓１の屋内側形材２０の間に押し込む。この際に、第二方立部材６０の係止壁部６３１が、縦枠６の屋内側形材２０の内板部２２０に当接するまで、第二方立部材６０を押し込む。第二方立部材６０の取付面部６３０の取付孔に対して屋内側から螺子６３７を挿通して、縦枠６の屋内側形材２０の第一連結板部２３０にねじ込む。取付面部６３０の取付孔が左右方向の一方側と他方側で上下に交互に配置されているため、左右の螺子６３７の螺子頭どうしが干渉することがない。
【００８２】
次に、第二方立部材６０の屋内側に、キャップ７０を係止させる。これにより、窓連結構造１００の施工が完了する。
【００８３】
（第二形態）
次に、上記に示す第一形態の窓連結構造１００で連結される窓１よりも、見込み方向の寸法が大きい窓１Ａ，１Ｂにおける窓連結構造１００Ａを説明する。
図４は、本発明の一実施形態の第二形態に係る窓連結構造の構成を示す図であり、図２に相当する図である。
なお、後述する第二形態及び変形例の説明において、前述した部材と同一の部材には同一の符号を付して、その説明を省略する。
図４に示す第二形態の窓連結構造１００Ａでは、図２に示す第一形態の窓連結構造１００よりも、枠体２の屋内外方向の長さが長い。第一ブリッジ材３０Ａ及び第二ブリッジ材４０Ａは、第一形態の第一ブリッジ材３０及び第二ブリッジ材４０よりも屋内外方向の長さが長い。
【００８４】
第一ブリッジ材３０Ａ及び第二ブリッジ材４０Ａのブリッジ板部３００Ａ，４００Ａの屋内外方向の長さは、第一形態の第一ブリッジ材３０及び第二ブリッジ材４０のブリッジ板部３００，４００の屋内外方向の長さよりも長い。
【００８５】
第二形態の屋外側形材１０と屋内側形材２０とは、第一形態の第一ブリッジ材３０Ａ及び第二ブリッジ材４０Ａで連結されている。
【００８６】
窓１Ａと窓１Ｂとは、第一形態と同様に、第一方立部材５０及び第二方立部材６０で連結されている。
【００８７】
このように構成された窓連結構造１００，１００Ａでは、隣り合って配置された窓１Ｘ（または１Ａ）の縦枠６及び窓１Ｙ（または１Ｂ）の縦枠６では、屋外側形材１０及び屋内側形材２０が、それぞれ第一方立部材５０及び第二方立部材６０で連結されている。第一方立部材５０及び第二方立部材６０は、縦枠６の屋内外方向に連続して設ける必要がないため、屋内外方向の寸法が異なる窓連結構造１００，１００Ａにおいて、第一方立部材５０及び第二方立部材６０を共通して使用することができる。よって、窓１の枠体２の屋内外方向の寸法毎に第一方立部材５０及び第二方立部材６０を部品として取り揃える必要がない。
【００８８】
また、隣り合って配置された窓１の屋外側形材１０どうしは、第一方立部材５０で連結されている。また、隣り合って配置された窓１の屋内側形材２０どうしは、第二方立部材６０で連結されている。よって、隣り合って配置された窓１の縦枠６は屋外側及び屋内側の両側で連結されているため、窓１どうしが強固に連結される。
【００８９】
また、屋内側形材２０の第一連結板部２３０は、隣り合って配置された窓１の縦枠６側を向く面に沿って屋内外方向に延びている。第二方立部材６０の取付面部６３０は、一方の窓１の第一連結板部２３０と他方の窓１の第一連結板部２３０との間に配置されるとともに、屋外側に向かうにしたがって次第に第一連結板部２３０から離間し、第一連結板部２３０に螺子止めされている。つまり、螺子止めされるのは、縦枠６の屋内外向に延びる第一連結板部２３０であり、縦枠６の左右方向（縦枠６の幅方向）には螺子止めされる部分を設ける必要がないため、縦枠６の左右方向の寸法を小さくすることができ、外観が良いとともに断熱性を向上させることができる。
【００９０】
また、第一方立部材５０は、隣り合う窓１側に延びる取付板部１３１の屋外側に配置され、取付板部１３１に螺子止めされている。よって、屋内側から螺子止め作業を行うことができるため、作業性が良い。
【００９１】
また、第一方立部材５０よりも屋内側、第二方立部材６０よりも屋外側、且つ第一ブリッジ材３０どうしの間には、縦枠６の延在方向に沿う空間Ｓが形成されている。空間Ｓにより断熱性を高めることができ、また空間Ｓに断熱材を設けることにより断熱性をさらに高めることができる。
【００９２】
また、従来のように、枠体２の屋内外方向に連続して形成された方立では、外気の気温が方立を介して屋内側に伝達され、断熱性が悪かった。本実施形態では、第一方立部材５０と第二方立部材６０とは、屋内外方向に離間して配置されるとともに、互いに直接的に連結されていない。第一方立部材５０及び第二方立部材６０は、それぞれ屋外側形材１０及び屋内側形材２０に固定されている。屋外側形材１０と屋内側形材２０とは、第一ブリッジ材３０及び第二ブリッジ材４０で連結されている。つまり、第一方立部材５０及び第二方立部材６０は、屋外側形材１０、屋内側形材２０、第一ブリッジ材３０及び第二ブリッジ材４０を介して連結されている。第一ブリッジ材３０及び第二ブリッジ材４０の熱伝導率は屋外側形材１０及び屋内側形材２０の熱伝導率よりも低いため、屋外側から屋内側への熱の伝達が第一ブリッジ材３０及び第二ブリッジ材４０で遮断され、窓１の断熱性を向上させることができる。
【００９３】
また、第二方立部材６０に螺子止めされる螺子６３７は、左右方向の一方側の螺子６３７と左右方向の他方側の螺子６３７とが上下方向の同一高さに設けられている場合には、左右の螺子６３７の螺子頭どうしが干渉する可能性がある。本実施形態では、左右方向の一方側の螺子６３７と左右方向の他方側の螺子６３７とが上下方向に交互に配置されているため、左右の螺子６３７の螺子頭どうしが干渉することを抑制することができる。
【００９４】
（変形例）
次に、本発明の変形例に係る窓連結構造１００Ｂについて、主に図５を用いて説明する。
図５は、本発明の変形例に係る窓連結構造の構成を示す図であり、図２に相当する図である。
図５に示すように、本変形例の窓連結構造１００Ｂでは、第一方立部材５０Ｂの屋内外方向の長さは、上記に示す実施形態の第一方立部材５０の屋内外方向の長さよりも長い。
【００９５】
第一方立部材５０Ｂは、張り出し面部５６１と、連結面部５６２と、屋外側面部５１０と、屋内側面部５２０と、端部壁部５３０と、連結部５４０と、を有している。
【００９６】
張り出し面部５６１は、屋外側面部５１０の幅方向の両端部からそれぞれ屋外側に延びている。連結面部５６２は、各張り出し面部５６１の屋外側の端部どうしを連結している。
【００９７】
このように構成された窓連結構造１００Ｂでは、隣り合って配置された窓１Ｘの縦枠６及び窓１Ｙの縦枠６では、屋外側形材１０及び屋内側形材２０が、それぞれ第一方立部材５０Ｂ及び第二方立部材６０で連結されている。第一方立部材５０Ｂ及び第二方立部材６０は、縦枠６の屋内外方向に連続して設ける必要がないため、屋内外方向の寸法が異なる窓連結構造１００Ｂにおいて、第一方立部材５０Ｂ及び第二方立部材６０を共通して使用することができる。よって、窓の枠体の屋内外方向の寸法毎に方立を部品として取り揃える必要がない。
【００９８】
また、第一方立部材５０Ｂが屋内外方向に長い形状をなしているため、枠体２の強度を高めることができ、枠体２の撓みが抑制される。
【００９９】
なお、上述した実施の形態において示した各構成部材の諸形状や組み合わせ等は一例であって、本発明の主旨から逸脱しない範囲において設計要求等に基づき種々変更可能である。
【０１００】
例えば、上記に示す実施形態では、縦枠６の屋外側及び屋内側の両側がそれぞれ第一方立部材５０及び第二方立部材６０で連結されているが、本発明はこれに限られない。隣り合って配置された窓１の枠体２の屋外側形材１０及び屋内側形材２０の少なくとも一方が、連結材で連結されていればよい。
【０１０１】
また、上記に示す実施形態では、第二方立部材６０は、縦枠６の屋内外方向に延びる第一連結板部２３０に螺子止めされているが、本発明はこれに限られず、縦枠６の左右方向に延びる面等に螺子止めされていてもよい。
【０１０２】
また、上記に示す実施形態では、屋外側形材１０の取付板部１３１の取付孔に屋内側から挿通された螺子１３３が、第一方立部材５０の屋内側面部５２０にねじ込まれているが、本発明はこれに限られない。第一方立部材５０を屋外側形材１０に屋外側から螺子止めする構成であってもよい。
【０１０３】
また、上記に示す実施形態では、第一方立部材５０と第二方立部材６０との間に空間Ｓが形成されているが、本発明はこれに限られず、空間Ｓが形成されていなくてもよい。
【０１０４】
また、上記に示す実施形態では、左右方向に隣り合って配置された窓１どうしを方立で連結した連窓を例に挙げて説明したが、本発明はこれに限られず、上下方向に隣り合って配置された窓どうしを無目で連結した段窓にも適用可能である。
【符号の説明】
【０１０５】
１，１Ａ，１Ｂ，１Ｘ，１Ｙ…窓
２…枠体
３…窓ガラス
４…上枠
５…下枠
６…縦枠
１０…屋外側形材
２０…屋内側形材
３０…第一ブリッジ材（断熱材）
４０…第二ブリッジ材（断熱材）
５０…第一方立部材（連結材、屋外側連結材）
６０…第二方立部材（連結材、屋内側連結材）
７０…キャップ
１３１…取付板部（延出部）
２３０…第一連結板部（取付部）
６３０…取付面部（傾斜部）
１００，１００Ａ…窓連結構造
Ｓ…空間
Ｗ…開口部
【図１】
2019157494.tif 000003
【図２】
2019157494.tif 000004
【図３】
2019157494.tif 000005
【図４】
2019157494.tif 000006
【図５】
2019157494.tif 000007